(57)【要約】【課題】  電子メールアドレスを入力するに際して、操作性の向上を図ることを目的とする。【解決手段】  携帯電話端末において、「＠」を入力するためのキーが操作されると、「ドメイン名を付加しますか？」のメッセージを表示し（（ｂ）参照）、「Ｆ」キーが操作されると、複数のドメイン名を表示する（（ｃ）参照）。そして、これに続いて、例えば「４」キーが操作されると、その表示したドメイン名のうちから該当するドメイン名を選択し（（ｅ）参照）、「Ｆ」キーが操作されると、その選択したドメイン名を含む文字列を電子メールアドレスとして確定することが可能となる（（ｆ）参照）。電子メールアドレスを入力する場合には、電子メールアドレスを構成する文字を１文字ずつ入力することがなく、ドメイン名を自動的に入力することができる。【選択図】      図８
2005122761.tif 000002
【特許請求の範囲】
【請求項１】
電子メールアドレスのドメイン名の全体または一部を記憶するドメイン名記憶手段と、
このドメイン名記憶手段に記憶させているドメイン名の全体または一部を所定条件が成立したことを条件として表示手段に表示させ、前記表示手段に表示させたドメイン名の全体または一部を含む文字列の先頭にアットマークの記号を自動的に付加し、アットマークの記号が付加されたドメイン名の全体または一部を含む文字列を電子メールアドレスとして確定可能な制御手段とを備えたことを特徴とする携帯型電子メール端末。
【請求項２】
電子メールアドレスのドメイン名の全体または一部を記憶するドメイン名記憶手段と、
このドメイン名記憶手段に記憶させているドメイン名の一部を、操作手段においてドットの記号の入力の完了を設定するための操作が行われたことを条件として表示手段に表示させ、前記表示手段に表示させたドメイン名の一部を含む文字列を電子メールアドレスとして確定可能な制御手段とを備えたことを特徴とする携帯型電子メール端末。
【請求項３】
前記ドメイン名記憶手段は、電子メールアドレスのドメイン名の全体または一部を複数記憶し、
前記制御手段は、前記ドメイン名記憶手段に記憶させている複数のドメイン名の全体または一部を所定条件が成立したことを条件として前記表示手段に表示させ、操作手段において所定操作が行われたことに応じて前記表示手段に表示させた複数のドメイン名の全体または一部のうちからいずれかのドメイン名の全体または一部を選択し、その選択したドメイン名の全体または一部を含む文字列を電子メールアドレスとして確定可能であることを特徴とする請求項１または２に記載の携帯型電子メール端末。
【請求項４】
前記ドメイン名記憶手段は、電子メールアドレスのドメイン名の全体または一部を１つのみ記憶することを特徴とする請求項１ないし３のいずれかに記載の携帯型電子メール端末。
【請求項５】
前記制御手段が前記操作手段において電子メールアドレスを登録するための操作が行われたことに応じて登録した電子メールアドレスをアドレス帳として記憶するアドレス帳記憶手段を備え、
前記ドメイン名記憶手段は、前記アドレス帳記憶手段がアドレス帳として記憶している電子メールアドレスのドメイン名と同一のドメイン名の全体または一部を記憶することを特徴とする請求項１ないし４のいずれかに記載の携帯型電子メール端末。
【請求項６】
前記制御手段が過去に送信させた電子メールを送信履歴として記憶する送信履歴記憶手段を備え、
前記ドメイン名記憶手段は、前記送信履歴記憶手段が送信履歴として記憶している電子メールの送信先を示す電子メールアドレスのドメイン名と同一のドメイン名の全体または一部を記憶することを特徴とする請求項１ないし４のいずれかに記載の携帯型電子メール端末。
【請求項７】
前記制御手段が過去に受信させた電子メールを受信履歴として記憶する受信履歴記憶手段を備え、
前記ドメイン名記憶手段は、前記受信履歴記憶手段が受信履歴として記憶している電子メールの送信元を示す電子メールアドレスのドメイン名と同一のドメイン名の全体または一部を記憶することを特徴とする請求項１ないし４のいずれかに記載の携帯型電子メール端末。
【請求項８】
携帯型電子メール端末の制御手段に、
ドメイン名記憶手段に記憶させているドメイン名の全体または一部を、操作手段において電子メールの送信動作を設定するための操作が行われたことを条件として表示手段に表示させる第１の手順と、
前記表示手段に表示させたドメイン名の全体または一部を含む文字列の先頭にアットマークの記号を自動的に付加する第２の手順と、
アットマークの記号が付加されたドメイン名の全体または一部を含む文字列を電子メールアドレスとして確定する第３の手順とを実行させることを特徴とするプログラム。
【請求項９】
携帯型電子メール端末の制御手段に、
ドメイン名記憶手段に記憶させているドメイン名の一部を、操作手段においてドットの記号の入力の完了を設定するための操作が行われたことを条件として表示手段に表示させる第１の手順と、
前記表示手段に表示させたドメイン名の一部を含む文字列を電子メールアドレスとして確定する第２の手順とを実行させることを特徴とするプログラム。
【発明の詳細な説明】
【技術分野】
【０００１】
本発明は、電子メール機能を備えた携帯電話端末や携帯情報端末などの携帯型電子メール端末および前記携帯型電子メール端末にて実行されるプログラムに関する。
【背景技術】
【０００２】
近年、電気通信技術や情報処理技術などの進歩に伴って、電子メール機能を備えた携帯電話端末や携帯情報端末などの携帯型電子メール端末が広く普及している。ところで、この種のものにおいて、使用者は、電子メールアドレスを入力する場合には、その入力しようとする電子メールアドレスを構成する文字を１文字ずつ入力する必要があった。
【０００３】
その一方で、これら携帯電話端末や携帯情報端末においては、小形化および軽量化が要望されているという事情から、一般的には、キーの大きさが比較的小さく、特に、携帯電話端末においては、キーの数が比較的少なく、例えばキーの操作回数の違いにより、互いに異なる文字を入力する構成となっている。
【発明の開示】
【発明が解決しようとする課題】
【０００４】
このような事情から、電子メールアドレスを入力する場合に、その入力しようとする電子メールアドレスを構成する文字を１文字ずつ入力するという従来のものは、使用者に煩雑なキーの操作を強いるものであり、操作性に劣るものであった。
【０００５】
本発明は、上記した事情に鑑みてなされたものであり、その目的は、電子メールアドレスを入力するに際して、操作性の向上を図ることができる携帯型電子メール端末およびプログラムを提供することにある。
【課題を解決するための手段】
【０００６】
請求項１記載の発明では、電子メールアドレスのドメイン名の全体または一部を記憶するドメイン名記憶手段と、このドメイン名記憶手段に記憶させているドメイン名の全体または一部を所定条件が成立したことを条件として表示手段に表示させ、前記表示手段に表示させたドメイン名の全体または一部を含む文字列の先頭にアットマークの記号を自動的に付加し、アットマークの記号が付加されたドメイン名の全体または一部を含む文字列を電子メールアドレスとして確定可能な制御手段とを備えたことを特徴としている。
【０００７】
請求項２では、電子メールアドレスのドメイン名の全体または一部を記憶するドメイン名記憶手段と、このドメイン名記憶手段に記憶させているドメイン名の一部を、操作手段においてドットの記号の入力の完了を設定するための操作が行われたことを条件として表示手段に表示させ、前記表示手段に表示させたドメイン名の一部を含む文字列を電子メールアドレスとして確定可能な制御手段とを備えたことを特徴としている。
【０００８】
請求項３記載の発明では、前記ドメイン名記憶手段は、電子メールアドレスのドメイン名の全体または一部を複数記憶し、前記制御手段は、前記ドメイン名記憶手段に記憶させている複数のドメイン名の全体または一部を所定条件が成立したことを条件として前記表示手段に表示させ、操作手段において所定操作が行われたことに応じて前記表示手段に表示させた複数のドメイン名の全体または一部のうちからいずれかのドメイン名の全体または一部を選択し、その選択したドメイン名の全体または一部を含む文字列を電子メールアドレスとして確定可能であることを特徴としている。
【０００９】
請求項４記載の発明では、前記ドメイン名記憶手段は、電子メールアドレスのドメイン名の全体または一部を１つのみ記憶することを特徴としている。
【００１０】
請求項５記載の発明では、前記制御手段が前記操作手段において電子メールアドレスを登録するための操作が行われたことに応じて登録した電子メールアドレスをアドレス帳として記憶するアドレス帳記憶手段を備え、前記ドメイン名記憶手段は、前記アドレス帳記憶手段がアドレス帳として記憶している電子メールアドレスのドメイン名と同一のドメイン名の全体または一部を記憶することを特徴としている。
【００１１】
請求項６記載の発明では、前記制御手段が過去に送信させた電子メールを送信履歴として記憶する送信履歴記憶手段を備え、前記ドメイン名記憶手段は、前記送信履歴記憶手段が送信履歴として記憶している電子メールの送信先を示す電子メールアドレスのドメイン名と同一のドメイン名の全体または一部を記憶することを特徴としている。
【００１２】
請求項７記載の発明では、前記制御手段が過去に受信させた電子メールを受信履歴として記憶する受信履歴記憶手段を備え、前記ドメイン名記憶手段は、前記受信履歴記憶手段が受信履歴として記憶している電子メールの送信元を示す電子メールアドレスのドメイン名と同一のドメイン名の全体または一部を記憶することを特徴としている。
【００１３】
請求項８記載の発明では、携帯型電子メール端末の制御手段に、ドメイン名記憶手段に記憶させているドメイン名の全体または一部を、操作手段において電子メールの送信動作を設定するための操作が行われたことを条件として表示手段に表示させる第１の手順と、前記表示手段に表示させたドメイン名の全体または一部を含む文字列の先頭にアットマークの記号を自動的に付加する第２の手順と、
アットマークの記号が付加されたドメイン名の全体または一部を含む文字列を電子メールアドレスとして確定する第３の手順とを実行させることを特徴としている。
【００１４】
請求項９記載の発明では、携帯型電子メール端末の制御手段に、ドメイン名記憶手段に記憶させているドメイン名の一部を、操作手段においてドットの記号の入力の完了を設定するための操作が行われたことを条件として表示手段に表示させる第１の手順と、前記表示手段に表示させたドメイン名の一部を含む文字列を電子メールアドレスとして確定する第２の手順とを実行させることを特徴としている。
【発明の効果】
【００１５】
すなわち、このものによれば、電子メールアドレスのドメイン名の全体または一部を表示し、その表示したドメイン名の全体または一部を含む文字列を電子メールアドレスとして確定することを可能に構成したので、電子メールアドレスを入力する場合には、従来のものとは異なって、電子メールアドレスを構成する文字を１文字ずつ入力することがなく、ドメイン名の全体または一部を自動的に入力することができ、これによって、操作性の向上を図ることができる。
【発明を実施するための最良の形態】
【００１６】
（第１の実施の形態）
以下、本発明を電子メール機能を備えた携帯電話端末に適用した第１実施例について、図１ないし図１４を参照して説明する。まず、図２は、携帯電話端末の電気的な構成を機能ブロック図として示している。携帯電話端末１において、制御部２（本発明でいう制御手段）は、マイクロコンピュータを主体として構成されており、制御部２は、無線通信部３、音声入出力部４、キーパッド５（本発明でいう操作手段）、ディスプレイ６（本発明でいう表示手段）、タイマ部７、アドレス帳記憶部８（本発明でいうアドレス帳記憶手段）、送信メール記憶部９（本発明でいう送信履歴記憶手段）、受信メール記憶部１０（本発明でいう受信履歴記憶手段）およびドメイン名記憶部１１（本発明でいうドメイン名記憶手段）を接続している。
【００１７】
マイク１２は、送話音声を入力すると、その入力した送話音声を音声信号から電気信号に変換して送話信号を生成し、その生成した送話信号を音声入出力部４に出力し、音声入出力部４は、マイク１２から送話信号を入力すると、その入力した送話信号を音声処理し、制御部２を通じて無線通信部３に出力する。そして、無線通信部３は、音声入出力部４から制御部２を通じて送話信号を入力すると、その入力した送話信号を無線処理し、アンテナ１３から所定の周波数帯域（例えば１．５ＧＨｚ帯域）の電波として放射する。
【００１８】
また、無線通信部３は、アンテナ１３が所定の周波数帯域（例えば１．５ＧＨｚ帯域）の電波を捕捉すると、その電波を無線処理して受話信号を生成し、その生成した受話信号を制御部２を通じて音声入出力部４に出力する。そして、音声入出力部４は、無線通信部３から制御部２を通じて受話信号を入力すると、その入力した受話信号を音声処理してレシーバ１４に出力し、レシーバ１４は、音声入出力部４から受話信号を入力すると、その入力した受話信号を電気信号から音声信号に変換して受話音声を生成し、その生成した受話音声を出力する。
【００１９】
キーパッド５は、使用者が「数字」キー、「Ｆ（ファンクション）」キー、「クリア」キーなどのいずれかのキーを操作したことに応じて、そのキーの操作を示すキー操作信号を制御部２に出力する。ディスプレイ６は、制御部２から表示指令信号を入力すると、その入力した表示指令信号に応じた表示画面を表示する。タイマ部７は、計時機能を有しており、時刻・時間を示す計時信号を制御部２に出力する。
【００２０】
アドレス帳記憶部８は、図３に示すように、例えば「名前」、「電話番号」および「電子メールアドレス（アドレス）」を１ブロックとするアドレス帳データを複数件（例えば１００件）記憶することが可能な構成となっている。尚、図３中、電話番号の欄に記載している「Ｎ  」は、許可されている任意の数字であるものとする。
【００２１】
また、送信メール記憶部９は、図４に示すように、例えば「送信先」、「件名」および「本文」を１ブロックとする送信メールデータを複数件（例えば５０件）記憶することが可能な構成となっている。さらに、受信メール記憶部１０は、図５に示すように、例えば「送信元」、「件名」および「本文」を１ブロックとする受信メールデータを複数件（例えば５０件）記憶することが可能な構成となっている。
【００２２】
ドメイン名記憶部１１は、図６に示すように、アドレス帳記憶部８がアドレス帳データとして記憶している電子メールアドレスのドメイン名と同一のドメイン名をアドレス帳ドメイン名として記憶しており、また、送信メール記憶部９が送信メールデータとして記憶している送信先の電子メールアドレスのドメイン名と同一のドメイン名を送信履歴ドメイン名として記憶しており、さらに、受信メール記憶部１０が受信メールデータとして記憶している送信元の電子メールアドレスのドメイン名と同一のドメイン名を受信履歴ドメイン名として記憶している。
【００２３】
尚、ここでは、電子メールアドレスが例えば「ｓｕｚｕｋｉ＠ａａａ．ｃｏ．ｊｐ」で表記されている場合を例にして説明すると、「ｓｕｚｕｋｉ」の部分をアカウント、「ａａａ．ｃｏ．ｊｐ」の部分をドメイン名、「ａａａ」の部分を組織名（プロバイダ名）、「ｃｏ」の部分を組織コード、「ｊｐ」の部分を国コードと称することとする。そして、この場合、組織コードは、上記した会社（カンパニー）を示す「ｃｏ」の他に、非営利団体を示す「ｏｒ」、教育機関を示す「ａｃ」、ネットワーク系の団体を示す「ｎｅ」、政治機関を示す「ｇｏ」などがある。
【００２４】
次に、上記した構成の作用について、図１、図７ないし図１４も参照して説明する。制御部２は、所定の記憶領域に記憶しているプログラムを実行することによって、以下の処理を行う。すなわち、制御部２は、所定条件が成立したことを検出すると、ドメイン名記憶部１１にアドレス帳ドメイン名、送信履歴ドメイン名および受信履歴ドメイン名のうちのいずれかのドメイン名として記憶させている複数のドメイン名をディスプレイ６に表示させ、そのディスプレイ６に表示させた複数のドメイン名のうちからいずれかのドメイン名を選択し、その選択したドメイン名を含む文字列を電子メールアドレスとして確定することが可能となっている。
【００２５】
ここで、所定条件としては、
（１）「＠（アットマ−ク）」の記号を入力するためのキーが操作されたとき
（２）電子メールアドレスの一部の入力の完了を設定するためのキーが操作されたとき
（３）電子メールの送信動作を設定するためのキーが操作されたとき
（４）いずれかのキーが操作された時点から次のいずれかのキーが操作されるよりも先に所定時間が経過したときの４つの場合があり、以下、それぞれの場合について具体的に説明する。
（１）「＠」の記号を入力するためのキーが操作されたとき
まず、「＠」の記号を入力するためのキーが操作されたときを所定条件とする場合について、図１に示すディスプレイ６における表示画面の遷移図および図７に示すフローチャートを参照して説明する。
【００２６】
携帯電話端末１において、制御部２は、電子メールアドレス入力処理のサブルーチンに移行すると、いずれかの文字を入力するためのキーが操作されたか否かを判定する（ステップＳ１）。そして、制御部２は、いずれかの文字を入力するためのキーが操作されると、ステップＳ１において「ＹＥＳ」と判定し、そのキーの操作に応じて入力した文字が「＠」の記号であるか否かを判定する（ステップＳ２）。
【００２７】
ここで、制御部２は、そのキーの操作に応じて入力した文字が「＠」の記号でなければ、ステップＳ２において「ＮＯ」と判定し、入力した文字をディスプレイ６に表示させ（ステップＳ３）、電子メールアドレスの入力の完了を設定するためのキーが操作されたか否かを判定する（ステップＳ４）。そして、制御部２は、電子メールアドレスの入力の完了を設定するためのキーが操作されなければ、ステップＳ４において「ＮＯ」と判定し、上記したステップＳ１に戻る。
【００２８】
これに対して、制御部２は、そのキーの操作に応じて入力した文字が「＠」の記号であれば、ステップＳ２において「ＹＥＳ」と判定し、これよりも以前に「＠」の記号を入力しているか否かを判定する（ステップＳ５）。そして、制御部２は、これよりも以前に「＠」の記号を入力していれば、ステップＳ５において「ＹＥＳ」と判定し、入力した「＠」の記号をディスプレイ６に表示させ（ステップＳ６）、電子メールアドレスの入力の完了を設定するためのキーが操作されたかか否かを判定する（ステップＳ４）。
【００２９】
また、制御部２は、そのキーの操作に応じて入力した文字が「＠」の記号であって、これよりも以前に「＠」の記号を入力していなければ、ステップＳ５において「ＮＯ」と判定し、「ドメイン名を付加しますか？」というメッセージをディスプレイ６に表示させる（ステップＳ７、図１（ｂ）参照）。
【００３０】
そして、制御部２は、ドメイン名を表示させるためのキーが操作されたか否かを判定し（ステップＳ８）、ドメイン名を表示させるためのキーが操作されると（ここでは、例えば「Ｆ」キーが操作されると）、ステップＳ８において「ＹＥＳ」と判定し、ドメイン名記憶部１１に記憶させている複数のドメイン名をディスプレイ６に表示させる（ステップＳ９、本発明でいう第１の手順、図１（ｃ）参照）。尚、この場合、制御部２は、例えばアドレス帳ドメイン名として記憶させているドメイン名を最初に表示させ、「スクロール」キーが操作されることに応じて、送信履歴ドメイン名として記憶させているドメイン名や受信履歴ドメイン名として記憶させているドメイン名を順次表示させる。
【００３１】
そして、制御部２は、複数のドメイン名のうちからいずれかのドメイン名を選択するためのキーが操作されたか否かを判定し（ステップＳ１０）、ドメイン名を選択するためのキーが操作されると（ここでは、例えば「４」キーが操作されると）、ステップＳ１０において「ＹＥＳ」と判定し、そのキーの操作に応じてドメイン名を選択する（ステップＳ１１、図１（ｅ）参照）。
【００３２】
そして、制御部２は、ドメイン名を確定するためのキーが操作されたか否かを判定し（ステップＳ１２）、ドメイン名を確定するためのキーが操作されると（ここでは、例えば「Ｆ」キーが操作されると）、ステップＳ１２において「ＹＥＳ」と判定し、その選択したドメイン名を確定する（ステップＳ１３、本発明でいう第２の手順、図１（ｆ）参照）。
【００３３】
そして、制御部２は、これ以降、その確定したドメイン名を含む文字列を電子メールアドレスとして確定するためのキーが操作されると（ここでは、例えば「Ｆ」キーが操作されると）、その確定したドメイン名を含む文字列を電子メールアドレスとして確定する。
【００３４】
以上に説明した制御により、使用者は、「＠」の記号を入力するためのキーを操作することにより、ドメイン名記憶部１１に記憶されている複数のドメイン名をディスプレイ６に表示させることができ、これに続いて、所定のキーを操作することにより、それら複数のドメイン名のうちからいずれかのドメイン名を選択し、その選択したドメイン名を含む文字列を電子メールアドレスとして確定することが可能となる。
（２）電子メールアドレスの一部の入力の完了を設定するためのキーが操作されたとき
次に、電子メールアドレスの一部の入力の完了を設定するためのキーが操作されたときを所定条件とする場合について、図８および図９を参照して説明する。携帯電話端末１において、制御部２は、電子メールアドレス入力処理のサブルーチンに移行すると、電子メールアドレスの入力の完了を設定するためのキーが操作されたか否かを判定する（ステップＳ２１）。そして、制御部２は、電子メールアドレスの入力の完了を設定するためのキーが操作されると（ここでは、例えば「Ｆ」キーが操作されると）、ステップＳ２１において「ＹＥＳ」と判定し、「＠」の記号を入力しているか否かを判定する（ステップＳ２２）。そして、制御部２は、「＠」の記号を入力していなければ、ステップＳ２２において「ＮＯ」と判定し、これ以降、上記したステップＳ７〜Ｓ１３の処理を行う（図８（ｂ）〜（ｆ）参照）。
【００３５】
以上に説明した制御により、使用者は、電子メールアドレスの入力の完了を設定するためのキーを操作することにより、ドメイン名記憶部１１に記憶されている複数のドメイン名をディスプレイ６に表示させることができ、これに続いて、所定のキーを操作することにより、それら複数のドメイン名のうちからいずれかのドメイン名を選択し、その選択したドメイン名を含む文字列を電子メールアドレスとして確定することが可能となる。
（３）電子メールの送信動作を設定するためのキーが操作されたとき
次に、電子メールの送信動作を設定するためのキーが操作されたときを所定条件とする場合について、図１０および図１１を参照して説明する。
【００３６】
携帯電話端末１において、制御部２は、電子メールの送信動作を設定するためのキーが操作されると（ここでは、例えば「クリア」キーが操作されると）、電子メールの送信処理のサブルーチンに移行し、宛先に「＠」の記号が入力されているか否かを判定する（ステップＳ３１）。そして、制御部２は、宛先に「＠」の記号が入力されていなければ、ステップＳ３１において「ＮＯ」と判定し、「宛先が正しくない可能性があります。ドメイン名を付加しますか？」というメッセージをディスプレイ６に表示させる（ステップＳ３２、図１０（ｂ）参照）。そして、制御部２は、これ以降、上記したステップＳ８〜Ｓ１３の処理を行う（図１０（ｃ）〜（ｆ）参照）。
【００３７】
以上に説明した制御により、使用者は、電子メールの送信動作を設定するためのキーを操作することにより、ドメイン名記憶部１１に記憶されている複数のドメイン名をディスプレイ６に表示させることができ、これに続いて、所定のキーを操作することにより、それら複数のドメイン名のうちからいずれかのドメイン名を選択し、その選択したドメイン名を含む文字列を電子メールアドレスとして確定することが可能となる。
（４）いずれかのキーが操作された時点から次のいずれかのキーが操作されるよりも先に所定時間が経過したとき
次に、いずれかのキーが操作された時点から次のいずれかのキーが操作されるよりも先に所定時間が経過したときを所定条件とする場合について、図１２および図１３を参照して説明する。
【００３８】
携帯電話端末１において、制御部２は、電子メールアドレス入力処理のサブルーチンに移行すると、いずれかのキーが操作された時点から次のいずれかのキーが操作されるよりも先に所定時間（例えば２秒）が経過したか否かを判定する（ステップＳ４１）。そして、制御部２は、いずれかのキーが操作された時点から次のいずれかのキーが操作されるよりも先に所定時間が経過すると、ステップＳ４１において「ＹＥＳ」と判定し、これ以降、上記したステップＳ７〜Ｓ１３の処理を行う（図１２（ｂ）〜（ｆ）参照）。
【００３９】
以上に説明した制御により、使用者は、いずれかのキーを操作した時点から次のいずれかのキーを操作をすることがなく所定時間が経過することにより、ドメイン名記憶部１１に記憶されている複数のドメイン名をディスプレイ６に表示させることができ、これに続いて、所定のキーを操作することにより、それら複数のドメイン名のうちからいずれかのドメイン名を選択し、その選択したドメイン名を含む文字列を電子メールアドレスとして確定することが可能となる。
【００４０】
尚、以上に説明した処理において、文字列は、文字の集合を総称するものであり、文字は、英字、数字、記号（「．（ドット）」、「−（ハイフン）」など）を総称するものである。
【００４１】
ところで、以上は、ドメイン名記憶部１１において、アドレス帳データとして記憶されている電子メールアドレスのドメイン名と同一のドメイン名をアドレス帳ドメイン名として記憶させ、また、送信メールデータとして記憶されている送信先の電子メールアドレスのドメイン名と同一のドメイン名を送信履歴ドメイン名として記憶させ、さらに、受信メールデータとして記憶されている送信元の電子メールアドレスのドメイン名と同一のドメイン名を受信履歴ドメイン名として記憶させる構成を説明したものであるが、例えばアドレス帳データとして記憶されている電子メールアドレスのドメイン名と同一のドメイン名をアドレス帳ドメイン名としてのみ記憶させるなど、ドメイン名記憶部１１に記憶させるドメイン名を選択する構成であっても良く、そのように構成すれば、必要な記憶容量を削減することが可能となる。
【００４２】
また、以上は、ドメイン名の全体を表示させる構成を説明したものであるが、ドメイン名の一部を表示させる構成であっても良く、具体的には、図１４に示すように、例えばドメイン名のうちの組織コードおよび国コードのみを表示させる構成であっても良い。尚、図１４は、例えば「＠（アットマ−ク）」の記号を入力していることを前提として、「．（ドット）」の記号を入力するためのキーが操作されたときを所定条件とする場合を示している。
【００４３】
以上に説明したように第１実施例によれば、携帯電話端末１において、所定条件が成立すると、ドメイン名記憶部１１に記憶させているドメイン名をディスプレイ６に表示し、これに続いて、所定のキーを操作することにより、その表示したドメイン名を含む文字列を電子メールアドレスとして確定することを可能に構成したので、電子メールアドレスを入力する場合には、従来のものとは異なって、電子メールアドレスを構成する文字を１文字ずつ入力することがなく、ドメイン名を自動的に入力することができ、これによって、操作性の向上を図ることができる。
【００４４】
また、この場合、ドメイン名記憶部１１にドメイン名を複数記憶させ、複数のドメイン名をディスプレイ６に表示し、これに続いて、所定のキーを操作することにより、その表示した複数のドメイン名のうちからいずれかのドメイン名を選択し、その選択したドメイン名を含む文字列を電子メールアドレスとして確定することを可能に構成したので、ドメイン名が互いに異なる複数の電子メールアドレスを入力する場合であっても、各々のドメイン名を自動的に入力することができる。
【００４５】
また、「＠」の記号を入力するためのキーが操作されたことを所定条件とするように構成したので、「＠」の記号を入力するためのキーを操作し、これに続いて、所定のキーを操作することにより、ドメイン名を自動的に入力することができる。
【００４６】
また、電子メールアドレスの一部の入力の完了を設定するためのキーが操作されたことを所定条件とするように構成したので、電子メールアドレスの一部の入力の完了を設定するためのキーを操作し、これに続いて、所定のキーを操作することにより、ドメイン名を自動的に入力することができる。
【００４７】
また、電子メールの送信動作を設定するためのキーが操作されたことを所定条件とするように構成したので、電子メールの送信動作を設定するためのキーを操作し、これに続いて、所定のキーを操作することにより、ドメイン名を自動的に入力することができる。
【００４８】
また、いずれかのキーが操作された時点から次のいずれかのキーが操作されるよりも先に所定時間が経過したことを所定条件とするように構成したので、いずれかのキーを操作した時点から次のいずれかのキーを操作することがなく所定時間が経過し、これに続いて、所定のキーを操作することにより、ドメイン名を自動的に入力することができる。
【００４９】
また、アドレス帳記憶部８がアドレス帳として記憶している電子メールアドレスのドメイン名と同一のドメイン名をディスプレイ６に表示し、その表示したドメイン名を含む文字列を電子メールアドレスとして確定することを可能に構成したので、過去にアドレス帳として登録させた電子メールのドメイン名を自動的に入力することができる。
【００５０】
また、送信メール記憶部９が送信履歴として記憶している電子メールの送信先を示す電子メールアドレスのドメイン名と同一のドメイン名をディスプレイ６に表示し、その表示したドメイン名を含む文字列を電子メールアドレスとして確定することを可能に構成したので、過去に送信させた電子メールの送信先の電子メールアドレスのドメイン名を自動的に入力することができる。
【００５１】
また、受信メール記憶部１０が受信履歴として記憶している電子メールの送信元を示す電子メールアドレスのドメイン名と同一のドメイン名をディスプレイ６に表示し、その表示したドメイン名を含む文字列を電子メールアドレスとして確定することを可能に構成したので、過去に受信させた電子メールの送信元の電子メールアドレスのドメイン名を自動的に入力することができる。
【００５２】
（第２の実施の形態）
次に、本発明の第２実施例について、図１５および図１６を参照して説明する。尚、上記した第１実施例と同一部分については説明を省略し、以下、異なる部分について説明する。
【００５３】
上記した第１実施例は、ドメイン名記憶部１１がドメイン名を複数記憶するように構成したものであるが、これに対して、この第２実施例は、ドメイン名記憶部１１がドメイン名を１つのみ記憶するように構成したものである。
【００５４】
すなわち、図１５に示すように、例えば「＠」の記号を入力するためのキーが操作されたときを所定条件とする場合について説明すると、制御部２は、ドメイン名を表示するためのキーが操作されると、ドメイン名記憶部１１に１つのみ記憶させているドメイン名をディスプレイ６に表示させ、ドメイン名を確定するためのキーが操作されたか否かを判定し、ドメイン名を確定するためのキーが操作されると、その表示したドメイン名を確定する。
【００５５】
そして、この場合、電子メールアドレスの一部の入力の完了の設定するためのキーが操作されたときを所定条件とする場合、電子メールの送信動作を設定するためのキーが操作されたときを所定条件とする場合およびいずれかのキーが操作された時点から次のいずれかのキーが操作されるよりも先に所定時間が経過したときを所定条件とする場合についても、これと同様である。また、図１６に示すように、ドメイン名の全体を表示させる構成に限らず、ドメイン名の一部を表示させる構成であっても良い。
【００５６】
以上に説明したように第２実施例によれば、ドメイン名記憶部１１にドメイン名を１つのみ記憶させ、その記憶させているドメイン名をディスプレイ６に表示し、これに続いて、所定のキーを操作することにより、その表示したドメイン名を含む文字列を電子メールアドレスとして確定することを可能に構成したので、例えば頻繁に使用するドメイン名を記憶させておくことにより、上記した第１実施例に記載したものと比較すると、複数のドメイン名のうちからいずれかのドメイン名を選択する操作を行うことがなく、その頻繁に使用するドメイン名を自動的に入力することができる。
【００５７】
（その他の実施の形態）
本発明は、上記した実施例にのみ限定されるものでなく、次のように変形または拡張することができる。携帯型電子メール端末は、電子メール機能を有する携帯電話端末に限らず、電子メール機能を有する携帯情報端末であっても良い。ディスプレイの表示形式は、他の表示形式であっても良い。アドレス帳記憶部が記憶可能なアドレス帳データの件数は、「１００件」に限らず、それ以外の数であっても良く、また、送信メール記憶部が記憶可能な送信メールデータの件数および受信メール記憶部が記憶可能な受信メールデータの件数は、「５０件」に限らず、それ以外の数であっても良い。
【００５８】
アドレス帳記憶部がアドレス帳として記憶している電子メールアドレスのドメイン名と同一のドメイン名、送信メール記憶部が送信履歴として記憶している電子メールの送信先を示す電子メールアドレスのドメイン名と同一のドメイン名或いは受信メール記憶部が受信履歴として記憶している電子メールの送信元を示す電子メールアドレスのドメイン名と同一のドメイン名をドメイン名記憶部が記憶する構成に限らず、使用者が個別に入力したドメイン名をドメイン名記憶部が記憶する構成であっても良い。
【００５９】
各実施例において、上記した処理を行うプログラムは、最初（例えば製品化の段階）から制御部の所定の記憶領域に記憶されているものに限らず、例えば特定のサーバからネットワークを通じて携帯電話端末にダウンロードされたり或いはカードなどの記憶媒体から携帯電話端末に転送され、インストールされるものであっても良い。
【図面の簡単な説明】
【００６０】
【図１】本発明の第１実施例を示すディスプレイにおける表示画面の遷移図
【図２】電気的な構成を示す機能ブロック図
【図３】アドレス帳データを示す図
【図４】送信メールデータを示す図
【図５】受信メールデータを示す図
【図６】ドメイン名を示す図
【図７】制御内容を示すフローチャート
【図８】図１相当図
【図９】図７相当図
【図１０】図１相当図
【図１１】図７相当図
【図１２】図１相当図
【図１３】図７相当図
【図１４】図１相当図
【図１５】本発明の第２実施例を示すディスプレイにおける表示画面の遷移図
【図１６】図１５相当図
【符号の説明】
【００６１】
図面中、１は携帯電話端末（携帯型電子メール端末）、２は制御部（制御手段）、５はキーパッド（操作手段）、６はディスプレイ（表示手段）、８はアドレス帳記憶部（アドレス帳記憶手段）、９は送信メール記憶部（送信履歴記憶手段）、１０は受信メール記憶部（受信履歴記憶手段）、１１はドメイン名記憶部（ドメイン名記憶手段）である。
【図１】
2005122761.tif 000003
【図２】
2005122761.tif 000004
【図３】
2005122761.tif 000005
【図４】
2005122761.tif 000006
【図５】
2005122761.tif 000007
【図６】
2005122761.tif 000008
【図７】
2005122761.tif 000009
【図８】
2005122761.tif 000010
【図９】
2005122761.tif 000011
【図１０】
2005122761.tif 000012
【図１１】
2005122761.tif 000013
【図１２】
2005122761.tif 000014
【図１３】
2005122761.tif 000015
【図１４】
2005122761.tif 000016
【図１５】
2005122761.tif 000017
【図１６】
2005122761.tif 000018